(57)【要約】  【課題】  バックフォーカスを長くしやすい接眼レンズ、特に、画面サイズが銀塩３５ｍｍフィルムの半分程度のカメラに適し、高ファインダ倍率でハイアイポイントな見えの良い接眼レンズを提供する。  【解決手段】  被写体側から順に、被写体側に凸面を向けた正メニスカスレンズからなる第１レンズ群Ｇ１と、正レンズからなる第２レンズ群Ｇ２と、負レンズの第３レンズ群Ｇ３とを備えた。【選択図】  図１
2006065265.tif 000002
【特許請求の範囲】
【請求項１】
被写体側から順に、被写体側に凸面を向けた正メニスカスレンズの第１レンズと、正レンズの第２レンズと、負レンズの第３レンズからなることを特徴とする接眼レンズ。
【請求項２】
下記条件式を満足することを特徴とする請求項１に記載の接眼レンズ。
０．６  ＜  ｆ１／ｆ  ＜  １．２
−２．０  ＜  ｆ１−２／ｆ３  ＜  −１．０
−０．４５  ＜  ｆ３／ｆ  ＜  −０．２５
ただし、ｆ１は第１レンズの焦点距離、ｆ１-２は第１レンズと第２レンズの合成焦点距離であり、接眼レンズの焦点距離が変更される構成の場合は視度が−１ｍ-1の時の焦点距離、ｆ３は第３レンズの焦点距離、ｆは接眼レンズ全系の焦点距離であり、接眼レンズの焦点距離が変更される構成の場合は視度が−１ｍ-1の時の焦点距離である。
【請求項３】
下記条件式を満足することを特徴とする請求項１に記載の接眼レンズ。
０．６  ＜  ｆ１／ｆ  ＜  １．２
ただし、ｆ１は第１レンズの焦点距離、ｆは接眼レンズ全系の焦点距離であり、接眼レンズの焦点距離が変更される構成の場合は視度が−１ｍ-1の時の焦点距離である。
【請求項４】
下記条件式を満足することを特徴とする請求項１又は３に記載の接眼レンズ。
−２．０  ＜  ｆ１−２／ｆ３  ＜  −１．０
ただし、ｆ１-２は第１レンズと第２レンズの合成焦点距離であり、接眼レンズの焦点
距離が変更される構成の場合は視度が−１ｍ-1の時の焦点距離、ｆ３は第３レンズの焦点距離である。
【請求項５】
下記条件式を満足することを特徴とする請求項１、請求項３、請求項４の何れか一項に記載の接眼レンズ。
−０．４５  ＜  ｆ３／ｆ  ＜  −０．２５
ただし、ｆ３は第３レンズの焦点距離、ｆは接眼レンズ全系の焦点距離であり、接眼レンズの焦点距離が変更される構成の場合は視度が−１ｍ-1の時の焦点距離である。
【請求項６】
下記の条件を満足することを特徴とする請求項１乃至５の何れか一項に記載の接眼レンズ。
−３．０＜（ｒ１＋ｒ２）／（ｒ１−ｒ２）＜−１．０１
ただし、ｒ１は第１レンズの被写体側の近軸曲率半径、ｒ２は第１レンズの瞳側の近軸曲率半径である。
【請求項７】
被写体側から順に、正レンズの第１レンズと、負レンズの第２レンズと、正レンズの第３レンズと、負レンズの第４レンズからなることを特徴とする接眼レンズ。
【請求項８】
前記接眼レンズに含まれるレンズの少なくとも二枚のレンズはプラスチックで構成され、プラスチックで構成される前記レンズの少なくとも一面は非球面を持つことを特徴とする請求項１又は７に記載の接眼レンズ。
【請求項９】
前記第２レンズを光軸方向に移動させて視度調整を行うことを特徴とする請求項１に記載の接眼レンズ。
【請求項１０】
下記条件式を満足することを特徴とする請求項７に記載の接眼レンズ。
０．６  ＜  ｆ１／ｆ  ＜  １．３
−２．０  ＜  ｆ１−３／ｆ４  ＜  −１．０
−０．５  ＜  ｆ４／ｆ  ＜  −０．２５
ただし、ｆ１は第１レンズの焦点距離、ｆ１-３は第１レンズ、第２レンズ及び第３レ
ンズの合成焦点距離であり、接眼レンズの焦点距離が変更される構成の場合は視度が−１ｍ-1の時の焦点距離、ｆ４は第４レンズの焦点距離、ｆは接眼レンズ全系の焦点距離であり、接眼レンズの焦点距離が変更される構成の場合は視度が−１ｍ-1の時の焦点距離である。
【請求項１１】
下記条件式を満足することを特徴とする請求項７に記載の接眼レンズ。
０．６１  ＜  ｆ１−２／ｆ  ＜  １．４
−２．０  ＜  ｆ１−３／ｆ４  ＜  −１．０
−０．５  ＜  ｆ４／ｆ  ＜  −０．２５
ただし、ｆ１−２は第１レンズ及び第２レンズの合成焦点距離、ｆ１-３は第１レンズ、第２レンズ及び第３レンズの合成焦点距離であり、接眼レンズの焦点距離が変更される構成の場合は視度が−１ｍ-1の時の焦点距離、ｆ４は第４レンズの焦点距離、ｆは接眼レンズ全系の焦点距離であり、接眼レンズの焦点距離が変更される構成の場合は視度が−１ｍ-1の時の焦点距離である。
【請求項１２】
下記条件式を満足することを特徴とする請求項７に記載の接眼レンズ。
０．６  ＜  ｆ１／ｆ  ＜  １．３
ただし、ｆ１は第１レンズの焦点距離、ｆは接眼レンズ全系の焦点距離であり、接眼レンズの焦点距離が変更される構成の場合は視度が−１ｍ-1の時の焦点距離である。
【請求項１３】
下記条件式を満足することを特徴とする請求項７又は１２に記載の接眼レンズ。
−２．０  ＜  ｆ１−３／ｆ４  ＜  −１．０
ただし、ｆ１−３は第１レンズ、第２レンズ及び第３レンズの合成焦点距離であり、接眼レンズの焦点距離が変更される構成の場合は視度が−１ｍ-1の時の焦点距離、ｆ４は第４レンズの焦点距離である。
【請求項１４】
下記条件式を満足することを特徴とする請求項７、請求項１２、請求項１３の何れか一項に記載の接眼レンズ。
−０．５  ＜  ｆ４／ｆ  ＜  −０．２５
ただし、ｆ４は第４レンズの焦点距離、ｆは接眼レンズ全系の焦点距離であり、接眼レンズの焦点距離が変更される構成の場合は視度が−１ｍ-1の時の焦点距離である。
【請求項１５】
下記条件式を満足することを特徴とする請求項７、請求項１２、請求項１３、請求項１４の何れか一項に記載の接眼レンズ。
０．６１  ＜  ｆ１−２／ｆ  ＜  １．４
ただし、ｆ１−２は第１レンズ及び第２レンズの合成焦点距離であり、接眼レンズの焦点距離が変更される構成の場合は視度が−１ｍ-1の時の焦点距離、ｆ４は第４レンズの焦点距離である。
【請求項１６】
下記の条件式を満足することを特徴とする請求項７、１０乃至１５の何れか一項に記載の接眼レンズ。
−２．０＜（ｒ１＋ｒ２）／（ｒ１−ｒ２）＜−０．１
ただし、ｒ１は第１レンズの被写体側の近軸曲率半径、ｒ２は第１レンズの瞳側の近軸曲率半径である。
【請求項１７】
前記第３レンズを光軸方向に移動させて視度調整を行うことを特徴とする請求項７、１０乃至１６の何れか一項に記載の接眼レンズ。
【請求項１８】
被写体の像を形成する像形成部分と、前記像を観察するための前記請求項１乃至１７の何れか一項に記載の接眼レンズとを備え、
以下の条件式を満足することを特徴とするファインダー光学系。
２．５＜ｆｂ／Ｙ＜４．０
ただし、ｆｂは、被写体の像面から第1レンズの入射面までの空気換算長、Ｙは像形成部分における被写体の像面の対角長である。
【請求項１９】
被写体の像を形成する像形成部分と、前記像を観察するための前記請求項１乃至１７の何れか一項に記載の接眼レンズとを備え、
以下の条件式を満足することを特徴とするファインダー光学系。
２０．０＜Ｙ＜２６．０
ただし、Ｙは像形成部分における被写体の像面の対角長(ｍｍ)である。
【請求項２０】
請求項１乃至１７の何れか一項に記載の接眼レンズと、前記被写体の実像を形成する対物レンズとを備え、
前記実像を前記接眼レンズを介して観察することを特徴とするファインダー光学系。
【請求項２１】
撮影光学系から射出される光束をカメラボディの長手方向に反射させる第１反射面と、
前記第１反射面の反射面側に配置され、前記撮影光学系により形成される一次結像面付近に配された像形成部分と、
前記一次結像面よりも瞳側に配置される複数の反射面及び接眼レンズとを備え、
前記第１反射面と前記複数の反射面にてポロタイプの像反転光学系をなすことを特徴とする一眼レフカメラのファインダー光学系。
【発明の詳細な説明】
【技術分野】
【０００１】
本発明は、接眼レンズ及びファインダー光学系に関するものであり、特に一眼レフカメラ用ファインダーに関するものである。
特に、いわゆる銀塩３５ｍｍフィルムの対角方向において半分程度の画面サイズを持つカメラに適したものである。
【背景技術】
【０００２】
近年、いわゆる銀塩３５ｍｍフィルムカメラに代わり、デジタルカメラが注目されてきている。このデジタルカメラの撮像素子として用いられるＣＣＤ等の大きさは、銀塩３５ｍｍフィルムと比較すると、対角長で数分の１から１０数分の１程度のものが多い。
このような画面サイズの小さいカメラに従来の銀塩カメラの接眼レンズをそのまま使うと、観察像が小さくなる。
従って、この種のカメラにおいて一眼レフレックス方式を導入する場合、像の見えを大きくするためにファインダーの倍率を大きくする必要がある。
【０００３】
ここで、ファインダーの倍率を大きくするには接眼レンズの焦点距離を短くしなければならない。
しかし、一般的には、接眼レンズの焦点距離を短くすると被観察面（被写体の実像）から接眼レンズまでの間隔（以下、この距離をバックフォーカスという）が短くなる。
バックフォーカスが短くなると、ペンタダハプリズムなどの像反転のための光学部材を配置するスペースが確保できなくなるという問題が生じる。
【０００４】
一方、見やすいファインダーとするためには、接眼レンズから観察者の瞳の位置までの距離、いわゆるアイポイント距離が長いこと、かつ、蹴られが少ないことが必要である。
一般に、長いアイポイント距離を確保するためには、接眼レンズの口径を大きくするとともに、像反転光学部材の射出面における有効開口部を拡大する必要がある。像反転光学部材を大型化した結果、プリズムまたはミラーにおける展開光路長が増加する。
つまり、ハイアイポイント化のためには長いバックフォーカスが必要となる。
【０００５】
以上述べたように、高ファインダー倍率であると同時に、プリズムやミラー等の各種光学部材を配置でき、ハイアイポイントな接眼レンズを実現するためには、短い焦点距離でありながら長いバックフォーカスを確保することが不可欠である。
【０００６】
焦点距離と比べてバックフォーカスが長い接眼レンズの従来例として、特許文献１乃至３が開示されている。
【特許文献１】特公平７−１０７５８１号公報
【特許文献２】特許２７２６２６１号公報
【特許文献３】特開平２−３０４４０９号公報
【０００７】
しかし、特許文献１乃至３に記載のものは、接眼レンズの全系の焦点距離をｆとしたときのバックフォーカスが１．１ｆ程度であり、十分な長さが確保されているとはいえなかった。
【発明の開示】
【発明が解決しようとする課題】
【０００８】
そこで、本発明は、上記問題点に鑑みてなされたものであり、バックフォーカスを長くしやすい接眼レンズを提供することを目的とする。特に、画面サイズが銀塩３５ｍｍフィ
ルムの半分程度のカメラに適し、接眼レンズの焦点距離をｆとしたときバックフォーカスが１．４ｆ程度と長く、高ファインダー倍率でハイアイポイントな見えの良い接眼レンズを提供することを目的とする。
【課題を解決するための手段】
【０００９】
本発明の第1の接眼レンズは、被写体側から順に、被写体側に凸面を向けた正メニスカ
スレンズの第１レンズと、正レンズの第２レンズと、負レンズの第３レンズとからなることを特徴とする。
【００１０】
本発明の第２の接眼レンズは、上記第１の接眼レンズにおいて、下記条件式を満足することを特徴とする。
０．６  ＜  ｆ１／ｆ  ＜  １．２
−２．０  ＜  ｆ１−２／ｆ３  ＜  −１．０
−０．４５  ＜  ｆ３／ｆ  ＜  −０．２５
ただし、ｆ１は第１レンズの焦点距離、ｆ１-２は第１レンズと第２レンズの合成焦点
距離であり、接眼レンズの焦点距離が変更される構成の場合は視度が−１ｍ-1の時の焦点距離、ｆ３は第３レンズの焦点距離、ｆは接眼レンズ全系の焦点距離であり、接眼レンズの焦点距離が変更される構成の場合は視度が−１ｍ-1の時の焦点距離である。
【００１１】
本発明の第３の接眼レンズは、上記第１の接眼レンズにおいて、下記条件式を満足することを特徴とする。
０．６  ＜  ｆ１／ｆ  ＜  １．２
ただし、ｆ１は第１レンズの焦点距離、ｆは接眼レンズ全系の焦点距離であり、接眼レンズの焦点距離が変更される構成の場合は視度が−１ｍ-1の時の焦点距離である。
【００１２】
本発明の第４の接眼レンズは、上記第１又は第３の何れか一に記載の接眼レンズにおいて、下記条件式を満足することを特徴とする。
−２．０  ＜  ｆ１−２／ｆ３  ＜  −１．０
ただし、ｆ１-２は第１レンズと第２レンズの合成焦点距離であり、接眼レンズの焦点
距離が変更される構成の場合は視度が−１ｍ-1の時の焦点距離、ｆ３は第３レンズの焦点距離である。
【００１３】
本発明の第５の接眼レンズは、上記第１、第３、第４の接眼レンズにおいて、下記条件式を満足することを特徴とする。
−０．４５  ＜  ｆ３／ｆ  ＜  −０．２５
ただし、ｆ３は第３レンズの焦点距離、ｆは接眼レンズ全系の焦点距離であり、接眼レンズの焦点距離が変更される構成の場合は視度が−１ｍ-1の時の焦点距離である。
【００１４】
本発明の第６の接眼レンズは、上記第１乃至第５の接眼レンズにおいて、下記の条件を満足することを特徴とする。
−３．０＜（ｒ１＋ｒ２）／（ｒ１−ｒ２）＜−１．０１
ただし、ｒ１は第１レンズの被写体側の近軸曲率半径、ｒ２は第１の瞳側の近軸曲率半径である。
【００１５】
本発明の第７の接眼レンズは、被写体側から順に、正レンズの第１レンズと、負レンズの第２レンズと、正レンズの第３レンズと、負レンズの第４レンズからなることを特徴とする。
【００１６】
本発明の第８の接眼レンズは、上記第１又は第７の接眼レンズにおいて、前記接眼レンズに含まれるレンズの少なくとも二枚はプラスチックで構成され、プラスチックで構成さ
れる前記レンズの少なくとも一面は非球面を持つことを特徴とする。
【００１７】
本発明の第９の接眼レンズは、上記第１に記載の接眼レンズにおいて、前記第２レンズを光軸方向に移動させて視度調整を行うことを特徴とする。
【００１８】
本発明の第１０の接眼レンズは、上記第７の接眼レンズにおいて、下記条件式を満足することを特徴とする。
０．６  ＜  ｆ１／ｆ  ＜  １．３
−２．０  ＜  ｆ１−３／ｆ４  ＜  −１．０
−０．５  ＜  ｆ４／ｆ  ＜  −０．２５
ただし、ｆ１は第１レンズの焦点距離、ｆ１-３は第１レンズ、第２レンズ及び第３レ
ンズの合成焦点距離であり、接眼レンズの焦点距離が変更される構成の場合は視度が−１ｍ-1の時の焦点距離、ｆ４は第４レンズの焦点距離、ｆは接眼レンズ全系の焦点距離であり、接眼レンズの焦点距離が変更される構成の場合は視度が−１ｍ-1の時の焦点距離である。
【００１９】
本発明の第１１の接眼レンズは、上記第７の接眼レンズにおいて、下記条件式を満足することを特徴とする。
０．６１  ＜  ｆ１−２／ｆ  ＜  １．４
−２．０  ＜  ｆ１−３／ｆ４  ＜  −１．０
−０．５  ＜  ｆ４／ｆ  ＜  −０．２５
ただし、ｆ１−２は第１レンズ及び第２レンズの合成焦点距離、ｆ１-３は第１レンズ、第２レンズ及び第３レンズの合成焦点距離であり、接眼レンズの焦点距離が変更される構成の場合は視度が−１ｍ-1の時の焦点距離、ｆ４は第４レンズの焦点距離、ｆは接眼レンズ全系の焦点距離であり、接眼レンズの焦点距離が変更される構成の場合は視度が−１ｍ-1の時の焦点距離である。
【００２０】
本発明の第１２の接眼レンズは、上記第７の接眼レンズにおいて、下記条件式を満足することを特徴とする。
０．６  ＜  ｆ１／ｆ  ＜  １．３
ただし、ｆ１は第１レンズの焦点距離、ｆは接眼レンズ全系の焦点距離であり、接眼レンズの焦点距離が変更される構成の場合は視度が−１ｍ-1の時の焦点距離である。
【００２１】
本発明の第１３の接眼レンズは、上記第７又は第１２に記載の接眼レンズにおいて、下記条件式を満足することを特徴とする。
−２．０  ＜  ｆ１−３／ｆ４  ＜  −１．０
ただし、ｆ１-３は第１レンズ、第２レンズ及び第３レンズの合成焦点距離であり、接
眼レンズの焦点距離が変更される構成の場合は視度が−１ｍ-1の時の焦点距離、ｆ４は第４レンズの焦点距離である。
【００２２】
本発明の第１４の接眼レンズは、上記第７、第１２、第１３の何れか一に記載の接眼レンズにおいて、下記条件式を満足することを特徴とする。
−０．５  ＜  ｆ４／ｆ  ＜  −０．２５
ただし、ｆ４は第４レンズの焦点距離、ｆは接眼レンズ全系の焦点距離であり、接眼レンズの焦点距離が変更される構成の場合は視度が−１ｍ-1の時の焦点距離である。
【００２３】
本発明の第１５の接眼レンズは、上記第７、第１２、第１３、第１４の何れか一に記載の接眼レンズにおいて、下記条件式を満足することを特徴とする。
０．６１  ＜  ｆ１−２／ｆ  ＜  １．４
ただし、ｆ１-２は第１レンズ及び第２レンズの合成焦点距離であり、接眼レンズの焦点距離が変更される構成の場合は視度が−１ｍ-1の時の焦点距離、ｆは接眼レンズ全系の焦点距離であり、接眼レンズの焦点距離が変更される構成の場合は視度が−１ｍ-1の時の焦点距離である。
【００２４】
本発明の第１６の接眼レンズは、上記第７、第１０乃至第１５の何れか一に記載の接眼レンズにおいて、下記の条件式を満足することを特徴とする。
−２．０＜（ｒ１＋ｒ２）／（ｒ１−ｒ２）＜−０．１
ただし、ｒ１は第１レンズの被写体側の近軸曲率半径、ｒ２は第１の瞳側の近軸曲率半径である。
【００２５】
本発明の第１７の接眼レンズは、上記第７、第１０乃至第１６の何れか一に記載の接眼レンズにおいて、前記第３レンズを光軸方向に移動させて視度調整を行うことを特徴とする。
【００２６】
本発明の第１のファインダー光学系は、被写体の像を形成する像形成部分と、前記像を観察するための上記第１乃至第１７の何れか一に記載の接眼レンズとを備え、
以下の条件式を満足することを特徴とする。
２．５＜ｆｂ／Ｙ＜４．０
ただし、ｆｂは、被写体の像面から第1レンズの入射面までの空気換算長（ｍｍ）、Ｙは像形成部分における被写体の像面の対角長（ｍｍ）である。
【００２７】
本発明の第２のファインダー光学系は、被写体の像を形成する像形成部分と、前記像を観察するための上記第１乃至第１７の何れか一に記載の接眼レンズとを備え、
以下の条件式を満足することを特徴とする。
２０．０＜Ｙ＜２６．０
ただし、Ｙは像形成部分における被写体の像面の対角長(ｍｍ)である。
【００２８】
本発明の第３のファインダー光学系は、上記第１乃至第１７の何れか一に記載の接眼レンズと、前記被写体の実像を形成する対物レンズとを備え、
前記実像を前記接眼レンズを介して観察することを特徴とする。
【００２９】
本発明の第４の一眼レフカメラのファインダー光学系は、撮影光学系から射出される光束をカメラ本体の長手方向に反射させる第１反射面と、前記第１反射面の反射面側に配置され、前記撮影光学系により形成される一次結像面付近に配された像形成部分と、前記一次結像面よりも瞳側に配置される複数の反射面及び接眼レンズとを備え、前記第１反射面と前記複数の反射面にてポロタイプの像反転光学系をなすことを特徴とする。
【発明の効果】
【００３０】
本発明により、バックフォーカスの長い接眼レンズを提供することができる。更には、画面サイズが銀塩３５ｍｍフィルムの半分程度のカメラ用に、接眼レンズの焦点距離をｆとしたときバックフォーカスが１．４ｆ程度と長く、高ファインダー倍率でハイアイポイントな見えの良い接眼レンズを提供することができる。
【発明を実施するための最良の形態】
【００３１】
本発明の実施形態の説明に先立ち、本発明の作用効果について説明する。
本発明の第１の接眼レンズは、バックフォーカスを長くするために、被写体側から順に、被写体側に凸面を向けた正メニスカスレンズの第１レンズ、正レンズの第２レンズ、負レンズの第３レンズというパワー配置で構成されている。
複眼レンズを、被写体側から順に、正、正、負というパワー配置としたので、接眼レンズの主点を被写体上りにすることができる。
又、正レンズを二枚有する光学系とすることで、収差の発生を抑えやすくしている。
また、第１レンズを、被写体側に凸面を向けたメニスカスレンズで構成することにより、主点を被写体側に持っていきやすくなり、バックフォーカスの確保に有利になる。
【００３２】
本発明の第２乃至５の接眼レンズは、さらに、下記条件式（１）乃至（３）のいずれか又は複数を満足する。
０．６  ＜  ｆ１／ｆ  ＜  １．２                …（１）
−２．０  ＜  ｆ１−２／ｆ３＜  −１．０        …（２）
−０．４５  ＜  ｆ３／ｆ  ＜  −０．２５        …（３）
ただし、ｆ１は第１レンズの焦点距離、ｆ１-２は第１レンズと第２レンズの合成焦点
距離であり、接眼レンズの焦点距離が変更される構成の場合は視度が−１ｍ-1の時の焦点距離、ｆ３は第３レンズの焦点距離、ｆは接眼レンズ全系の焦点距離であり、接眼レンズの焦点距離が変更される構成の場合は視度が−１ｍ-1の時の焦点距離である。
【００３３】
以下に条件式（１）乃至（３）の意味を説明する。
第１レンズは、適切なパワーを持たせるため、以下の条件式を満足させるのが良い。
０．６  ＜  ｆ１／ｆ  ＜  １．２               …（１）
ただし、ｆ１は第１レンズの焦点距離、ｆは全系の焦点距離であり、接眼レンズの焦点距離が変更される構成の場合は視度が−１ｍ-1の時の焦点距離である。
【００３４】
条件式（１）の下限値を下回ってレンズの正パワーが強くなると、収差補正を十分に行うことが困難になる。
一方、条件式（１）の上限値を超えてレンズの正パワーが弱くなると、第１レンズより前側（被写体側）での光線高が高くなるので、被観察面と接眼レンズの間の部材としてプリズム等を配置した場合、この部材で蹴られが生じやすくなる。そのため、アイポイント距離を長くすることが難しくなる。
【００３５】
より好ましくは、条件式（１）の下限値を０．６５としてもよく、更には下限値を０．７０としてもよい。
また、条件式（１）の上限値を１．０としてもよく、更には上限値を０．９としてもよい。
【００３６】
本発明の第２及び第４の接眼レンズでは、接眼レンズ全系の焦点距離を短くすると同時に第３レンズの負のパワーを持たせることで、前側主点を接眼レンズの前方（被写体側）に出している。そのために、必然的に第１レンズと第２レンズの合成パワーが強くなる。これに伴い、正成分と負成分のパワーのバランスをとることが好ましい。
そこで、第１レンズと第２レンズの合成焦点距離は、下記条件式を満足することが望ましい。
−２．０  ＜  ｆ１−２／ｆ３  ＜  −１．０      …（２）
ただし、ｆ１−２は第１レンズと第２レンズの合成焦点距離であり、接眼レンズの焦点距離が変更される構成の場合は視度が−１ｍ-1の時の焦点距離、ｆ３は第３レンズの焦点距離である。
【００３７】
条件式（２）の上限値を超えると、軸上色収差を補正することが難しくなってくる。
また、条件式（２）の下限値を下回ると、像面湾曲が補正しにくくなる。
【００３８】
より好ましくは、条件式（２）の下限値を−１．７としてもよく、更には下限値を−１．５としてもよい。
また、条件式（２）の上限値を−１．０５としてもよく、更には上限値を−１．１としてもよい。
【００３９】
本発明の第２及び第５の接眼レンズでは、第３レンズに負パワーを持たせて前側主点位置を接眼レンズのよりも前方（被写体側）に出すことで、焦点距離を長くすることなく長いバックフォーカスを確保している。
このとき、下記の条件式を満足するのが良い。
−０．４５  ＜  ｆ３／ｆ  ＜  −０．２５        …（３）
ただしｆ３は第３レンズの焦点距離、ｆは接眼レンズ全系の焦点距離であり、接眼レンズの焦点距離が変更される構成の場合は視度が−１ｍ-1の時の焦点距離である。
【００４０】
条件式（３）の下限値を下回ってレンズの負パワーが弱くなると、前側主点位置を前方（被写体側）に出す効果が弱くなり、バックフォーカスを十分に確保することが難しくなる。
一方、条件式（３）の上限値を超えてレンズの負パワーが強くなると、本発明の構成では十分な収差補正が難しくなる。
【００４１】
より好ましくは、条件式（３）の下限値を−０．４２としてもよく、更には下限値を−０．４０としてもよい。
また、条件式（３）の上限値を−０．２６としてもよい。
【００４２】
更には、本発明の第８の接眼レンズでは、接眼レンズに含まれるレンズの少なくとも二枚のレンズは、プラスチックで構成されていることが好ましい。
これにより、ガラスレンズを使用した場合に比べ、大幅なコストダウンを図ることができる。
さらに、プラスチックで構成したレンズの少なくとも一面は、非球面を持たせることが望ましい。
より好ましくは、第２レンズの被写体側に非球面を持たせるのが効果的である。このように構成すると、歪曲収差を良好に補正することが出来る。
特に、第２レンズの被写体側の面は瞳側の面よりも強い正のパワーを持たせることが、バックフォーカスを長くする上で好ましい。この第２レンズの被写体側の面に持たせる非球面は、周辺へゆくほど正パワーが弱くなる形状とすることが、収差補正上好ましい。
【００４３】
本発明の第１乃至第６の接眼レンズは、第１レンズを被写体側に凸面を向けた正メニスカスレンズとしている。
この正メニスカスレンズの形状は、本発明の第６の接眼レンズでは、以下の条件式を満足させることが好ましい。
−３．０＜（ｒ１＋ｒ２）／（ｒ１−ｒ２）＜−１．０１  …（４）
ただし、ｒ１は第１レンズの被写体側の近軸曲率半径であり、ｒ２は第１レンズの瞳側の近軸曲率半径である。
【００４４】
条件式（４）の下限値を下回ると、第１レンズの屈折力を確保するために被写体側の面のパワーが強くなり、収差を補正することが難しくなる。
また、条件式（４）の上限値を越えると、長いバックフォーカスを得にくくなる。
【００４５】
より好ましくは、条件式（４）の下限値を−２．５としてもよく、更には下限値を−２．２としてもよい。
または、条件式（４）の上限値を−１．０３としてもよく、更には上限値を−１．５としてもよい。
【００４６】
なお、上述の条件式（１）乃至（４）について、複数の式を同時に満足する構成としてもよいし、条件式（１）乃至（４）の上限値又は下限値を本願発明に記載の実施例における対応値としてもよい。
【００４７】
また、本発明の第９の接眼レンズにおいて、前記第２レンズを光軸方向に移動させて視度調整を行うことが好ましい。第２レンズを移動させることにより、被写体側の瞳側のレンズを固定することができるので、接眼レンズ内部へのほこりの進入を低減することができる。
また、レンズの径が大きくなりがちな第１レンズを固定することができるので、視度調整のための駆動機構を小さくすることができる。
また、第１レンズを固定するので、この第１レンズの周りの空間を利用でき、他の部材を配置するスペースになり得る。
【００４８】
本発明の第７の接眼レンズは、バックフォーカスを長くするために、被写体側から順に、正レンズの第１レンズ、負レンズの第２レンズ、正レンズの第３レンズ、負レンズの第４レンズというパワー配置で構成されている。
このように構成した接眼レンズは、負レンズを二枚有するので、バックフォーカスをより確保しやすくなる。
また、各レンズのパワーを弱くすることが出来るため、諸収差を良好に補正することが出来る。
更に、少なくとも一面の非球面を持たせることによって、歪曲収差を良好に補正することができ、特に第３レンズに非球面を持たせることにより、コマ収差の補正に更に有利となる。
【００４９】
本発明の第１０乃至１５の接眼レンズは、下記条件式（５）乃至（７）のいずれか又は複数を満足するようにするとよい。
０．６  ＜  ｆ１／ｆ  ＜  １．３                  …（５）
０．６１  ＜  ｆ１−２／ｆ  ＜  １．４            …（６）
−２．０  ＜  ｆ１−３／ｆ４  ＜  −１．０        …（７）
−０．５  ＜  ｆ４／ｆ  ＜  −０．２５            …（８）
ただし、ｆ１は第１レンズの焦点距離、ｆ１-２は第１レンズ及び第２レンズの合成焦点距離、ｆ１-３は第１レンズ、第２レンズ及び第３レンズの合成焦点距離であり、接眼レンズの焦点距離が変更される構成の場合は視度が−１ｍ-1の時の焦点距離、ｆ４は第４レンズの焦点距離、ｆは接眼レンズ全系の焦点距離であり、接眼レンズの焦点距離が変更される構成の場合は視度が−１ｍ-1の時の焦点距離である。
【００５０】
以下に条件式（５）乃至（８）の意味を説明する。
第１レンズは、適切なパワーを持たせるため、以下の条件式を満足させるのが良い。
０．６  ＜  ｆ１／ｆ  ＜  １．３                  …（５）
ただし、ｆ１は第１レンズの焦点距離、ｆは全系の焦点距離であり、接眼レンズの焦点距離が変更される構成の場合は視度が−１ｍ-1の時の焦点距離である。
【００５１】
条件式（５）の下限値を下回ってレンズの正パワーが強くなると、収差補正を十分に行うことが困難になる。
一方、条件式（５）の上限値を超えてレンズの正パワーが弱くなると、第１レンズより前側（被写体側）での光線高が高くなるので、被観察面と接眼レンズの間にプリズム等の部材を配置した場合、その部材で蹴られが生じ、アイポイント距離を長くすることが難しくなる。
【００５２】
より好ましくは、条件式（５）の下限値を０．７としてもよく、更には下限値を０．８としてもよい。
また、条件式（５）の上限値を１．２５としてもよい。
【００５３】
また、第１レンズは、被写体側に瞳側面の曲率よりも強い曲率を持つ凸面を向けた正レンズで構成することによって、主点を被写体側に持っていきやすくなり、バックフォーカスの確保に有利になる。
特に、本発明の第７の接眼レンズで、第１レンズを両面が凸面のレンズとしても、第２レンズが負レンズなので、収差を抑えながらバックフォーカスを長くすることができる。
【００５４】
条件式（５）に代えて、若しくは同時に以下の条件式（６）を満足する構成としてもよい。
１．６１＜ｆ１−２／ｆ＜１．４      …（６）
ただし、ｆ１−２は第１レンズの焦点距離、ｆは全系の焦点距離であり、接眼レンズの焦点距離が変更される構成の場合は視度が−１ｍ-1の時の焦点距離である。
【００５５】
条件式（６）の下限値を下回って第１レンズと第２レンズの合成パワーが強くなると、収差補正を十分に行うことが困難になる。
一方、条件式（６）の上限値を超えて、第１レンズと第２レンズの合成パワーが弱くなると、第１レンズより前方での光線高が高くなるので、被観察面と接眼レンズの間にプリズム等の部材を配置した場合、その部材で蹴られが生じ、アイポイント距離を長くすることが難しくなる。
【００５６】
より好ましくは、条件式（６）の下限値を０．８としても良く、更には下限値を１．０としてもよい。
また、条件式（６）の上限値を１．２５としてもよい。
【００５７】
本発明の第１０、第１１及び第１３の接眼レンズは、ファインダー光学系全系の焦点距離を短くすると同時に、第４レンズの負のパワーを強くして前側主点を接眼レンズの被写体側（前方）に出しているために、必然的に第１レンズから第３レンズの合成パワーが強くなる。これに伴い、レンズの正成分と負成分のパワーのバランスをとる必要がある。
そこで、第１レンズから第３レンズの合成焦点距離は、下記条件式を満足することが望ましい。
−２．０  ＜  ｆ１−３／ｆ４  ＜  −１．０      …（７）
ただし、ｆ１-３は第１レンズ、第２レンズ及び第３レンズの合成焦点距離であり、接
眼レンズの焦点距離が変更される構成の場合は視度が−１ｍ-1の時の焦点距離、ｆ４は第４レンズの焦点距離である。
【００５８】
条件式（７）の上限値を超えると、軸上色収差を補正することが難しくなってくる。
また、条件式（７）の下限値を超えると、像面湾曲が補正しにくくなる。
【００５９】
より好ましくは、条件式（７）の下限値を−１．５としてもよく、更には下限値を−１．２としてもよい。
また、条件式（７）の上限値を−１．０５としてもよく、更には上限値を−１．０８としてもよい。
【００６０】
本発明の第１０、第１１及び第１５の接眼レンズでは、第４レンズに負のパワーを持たせて前側主点位置を接眼レンズの前方（被写体側）に出すことで、焦点距離を長くすることなく長いバックフォーカスを確保することができるようになっている。
このとき、下記の条件式を満足するのが良い。
−０．５  ＜  ｆ４／ｆ  ＜  −０．２５          …（８）
ただしｆ４は第４レンズの焦点距離、ｆは接眼レンズ全系の焦点距離であり、接眼レンズの焦点距離が変更される構成の場合は視度が−１ｍ-1の時の焦点距離である。
【００６１】
条件式（８）の下限値を下回ってレンズの負パワーが弱くなると、前側主点位置を前方（被写体側）に出す効果が弱くなり、十分なバックフォーカスを確保することができなくなる。
一方、条件式（８）の上限値を超えてレンズの負パワーが強くなると、本発明の構成では十分な収差の補正が難しくなる。
【００６２】
より好ましくは、条件式（８）の下限値を−０．４８としてもよい。
また、条件式（８）の上限値を−０．３５としてもよく、更には上限値を−０．４としてもよい。
【００６３】
本発明の第１６の接眼レンズは、第１レンズを正レンズとしている。
この正レンズの形状は、以下の条件式を満足させることが好ましい。
−２．０＜（ｒ１＋ｒ２）／（ｒ１−ｒ２）＜−０．１  …（９）
ただし、ｒ１は第１レンズの被写体側の近軸曲率半径、ｒ２は第１の瞳側の曲率半径である。
【００６４】
条件式（９）は、第２レンズとして負レンズを配置する構成を前提としている。
第２レンズに負レンズを配置する構成の接眼レンズでは、第1レンズの形状を強いメニ
スカス形状にする必要が無くなり、収差補正上有利な形状とすることができる。
【００６５】
条件式（９）の下限値を下回ると、第１レンズの屈折力を確保するために被写体側の面のパワーが強いメニスカス形状のレンズとなり、収差を補正しにくくなる。
また、条件式（９）の上限値を越えると、長いバックフォーカスを得にくくなる。
【００６６】
より好ましくは、条件式（９）の下限値を−１．５としてもよく、更には下限値を−０．９５としてもよい。
また、条件式（９）の上限値を−０．５としてもよく、更には上限値を−０．８としてもよい。
【００６７】
なお、上記条件式（５）乃至（９）について、複数の式を同時に満足する構成としてもよいし、条件式（５）乃至（９）の上限値又は下限値を、本発明に記載の実施例における対応値としてもよい。
【００６８】
また、本発明の第１７の接眼レンズにおいて、第３レンズを光軸方向に移動させて視度調整を行うことが好ましい。第３レンズを移動させることにより、被写体側及び瞳側のレンズを固定することができるので、接眼レンズ内部へのほこりの進入を低減することがで
きる。
また、レンズの径が大きくなりがちな第１レンズ、第２レンズを固定するので、視度調整のための駆動機構を小さくすることができる。
【００６９】
本発明の第１のファインダー光学系では、被写体の像面から接眼レンズの第１レンズにおける入射面までの距離は次の条件式を満たすのが良い。
２．５  ＜  ｆｂ／Ｙ  ＜  ４．０              …（１０）
ただし、ｆｂはバックフォーカス、すなわち被写体の像面から第１レンズの入射面までの空気換算長（ｍｍ）であり、Ｙは像形成部分における被写体の像面の画面対角長（ｍｍ）である。
【００７０】
通常、被写体の像面から接眼レンズの第１レンズにおける入射面までのスペースには、ペンタダハプリズムあるいはペンタダハミラー、ポロプリズム、ポロミラー等の正立正像用光学部材が配置されるので、これらの部材が問題なく構成できるだけのスペースが必要となる。
【００７１】
条件式（１０）の下限値を下回ると、バックフォーカスが不足となり、正立正像系を構成できなくなる。
一方、ファインダー周囲には多彩な表示装置や測光装置等を組み込むことが必要となる場合が多く、なるべく長いバックフォーカスを確保できるのが望ましい。
しかし、条件式（１０）の上限値を超えてバックフォーカスが長くなると、本発明の構成では十分な収差補正が難しくなる。
【００７２】
上記条件式（１０）は、より好ましくは、下限値を２．７としてもよく、更には下限値を２．９としてもよい。
また、条件式（１０）の上限値を３．９としてもよく、更には上限値を３．８としてもよい。
【００７３】
また、被写体の像を形成する像形成部分としては、被写体の実像を形成する対物レンズと視野枠部材を備えるもの、一眼レフ等にて使われるスクリーンマット、液晶表示素子等の構成とするとよい。
【００７４】
本発明第２のファインダー光学系は、画面サイズが銀塩３５ｍｍフィルムの半分程度のものに適している。
具体的には以下の条件式を満たすのが良い。
２０．０  ＜  Ｙ  ＜  ２６．０                …（１１）
Ｙは像形成部分における被写体の像面の対角長(ｍｍ)である。
【００７５】
条件式（１１）の下限値を下回って画面サイズが小さくなると、ファインダー倍率をいっそう上げなければならず、本発明の構成では収差補正が難しくなる。
また、条件式（１１）の上限値を超えて画面サイズが大きくなると、ファインダー全体の大きさも大きくなる。
【００７６】
より好ましくは、条件式（１１）の下限値を２１．０としてもよく、更には下限値を２１．５としてもよい。
また、条件式（１１）の上限値を２４．０としてもよく、更には上限値を２３．０としてもよい。
【００７７】
本発明第３のファインダー光学系は、接眼レンズと前記被写体の実像を形成する対物レンズとを備え、前記実像を前記接眼レンズを介して観察する構成となっている。
そのため、観察される像が光学像であるので、画素を持つ電子表示素子による電子像よりも、観察し易く、且つ安価、省電力に構成できる。
【００７８】
本発明の第４のファインダー光学系は、撮影光学系から射出される光束をカメラボディの長手方向に反射させる第１反射面と、前記第１反射面の反射面側に配置され、前記撮影光学系により形成される一次結像面付近に配された像形成部分と、前記一次結像面よりも瞳側に配置される複数の反射面及び接眼レンズとを備え、前記第１反射面と前記複数の反射面にてポロタイプの像反転光学系をなしている。
この構成により、一次結像面の前（被写体側）にある第１反射面であるメインミラーにて光束をカメラボディの長手方向に反射させる。そして、その第１反射面を含め、４面の反射面によって撮影光学系の像を正立像とし、接眼レンズを通して観察できるようにしている。
【００７９】
上記のように像反転の光学部材を構成すると、ペンタダハプリズムを用いた場合のファインダー光学系に比べて、ダハ部の出っ張りがないため、高さ方向に小型化でき、すっきりとしたカメラボディとすることができる。
また、カメラ全体の小型化にもつながり、一眼レフカメラでありながらコンパクトカメラ並みの大きさを実現することができる。
【実施例】
【００８０】
以下、本発明の実施例について図面を用いて説明する。
第１実施例
図１は、本発明の接眼レンズの第１実施例の光学構成を示す光軸に沿う断面図である。図１中、３は一次結像面であり、６は接眼レンズにおける物体像の像面である。
また、図２は第１実施例における球面収差、非点収差、歪曲収差、倍率色収差を示す図であり、（ａ）は視度が＋１.５ｍ-1のとき、（ｂ）は視度が−１ｍ-1のとき、（ｃ）は
視度が−３.５ｍ-1のときの状態を示している。
なお、各収差図中、球面収差と像面湾曲における横軸は視度(ｍ-1)であり、倍率色収差
における横軸は角度(分)である。これは、以下の各実施例の収差図においても共通である。また、図１、図３、図５における像面６は、図８に示すように、像面６上又はその近傍に、視野範囲を制限するための構成（例えば黒塗り、視野枠等）が施されている。図８中、Ｙは像面６上における観察可能な範囲の画面対角長である。一次結像面は、すりガラス面、微小プリズムアイレ等に投影する構成としてもよい。
【００８１】
第１実施例の接眼レンズ１は、被観察面側（被写体側）から順に、被写体側に凸面を向けた凸メニスカスレンズ（第１レンズ）からなる第１レンズ群Ｇ１と、凸メニスカスレンズ(第２レンズ)からなる被写体側の面に非球面を持つ第２レンズ群Ｇ２と、両面が凹面のレンズ（第３レンズ）からなる第３レンズ群Ｇ３とから構成されている。第１実施例において、視度調整は、第２レンズ群Ｇ２を移動して行うようになっている。
【００８２】
また、本発明における非球面形状は、光軸方向をｚ軸、光軸に直交する方向をｙ軸にとり、円錐係数をｋ、非球面係数をａ、ｂ、ｃ、ｄ、・・・としたとき、次の式で表される。
ｘ＝（ｙ2／ｒ）／［１＋｛１−（１＋ｋ）（ｙ／ｒ）2｝1/2］
＋ａｙ4＋ｂｙ6＋ｃｙ8＋ｄｙ10＋…
これらは、以下の各実施例の数値データにおいても共通である。
【００８３】
次に、第１実施例の接眼レンズを構成する光学部材の数値データを示す。
数値データ１
視度(ｍ-1)＝＋１．５  〜  −１  〜  −３．５
焦点距離ｆ１（ｍｍ）＝４７．０１  〜  ５１．１６  〜  ５７．１８
瞳径（ｍｍ）＝Φ８
画面対角長Ｙ（ｍｍ）＝２１．８
バックフォーカスｆｂ＝１．５８ｆ
面番号  曲率半径            面（又は空気）間隔    ｄ線屈折率    アッベ数
1      ∞（被写体像面）        81.04
2      14.411                   6.88              1.52542      55.78
3      47.997                  D3
4    （非球面）                 4.67              1.52542      55.78
5     844.301                  D5
6     -56.145                   1.80              1.58423      30.49
7       9.374                  23.18
8      瞳
【００８４】
非球面係数
第４面
曲率半径    14.882
Ｋ＝０
Ａ4＝-3.88899×10-5    Ａ6＝-1.90488×10-7
Ａ8＝-1.83346×10-9
視度      ＋１．５    −１．０    −３．５
Ｄ３    １．０７    １．５２    ２．１３
Ｄ５    ２．１４    １．６３    １．０１
【００８５】
第２実施例
図３は、本発明の接眼レンズの第２実施例の光学構成を示す光軸に沿う断面図である。図３中、３は一次結像面であり、６は接眼レンズにおける物体像の像面である
また、図４は第２実施例における球面収差、非点収差、歪曲収差、倍率色収差を示す図であり、（ａ）は視度が＋１ｍ-1のとき、（ｂ）は視度が−１ｍ-1のとき、（ｃ）は視度が−３ｍ-1のときの状態を示している。
【００８６】
第２実施例の接眼レンズ１は、被観察面側（被写体側）から順に、被写体側に凸面を向けた凸メニスカスレンズ（第１レンズ）からなる第１レンズ群Ｇ１と、両面が凸面のレンズ（第２レンズ）からなる被写体側の面が非球面を持つ第２レンズ群Ｇ２と、両面が凹面のレンズ（第３レンズ）からなる第３レンズ群Ｇ３にて構成される。第２実施例において、視度調整は、第２レンズ群Ｇ２を移動して行なうようになっている。
【００８７】
次に、第２実施例の接眼レンズを構成する光学部材の数値データを示す。
数値データ２
視度（ｍ-1）＝＋１  〜  −１  〜  −３
焦点距離ｆ１（ｍｍ）＝４６．２５  〜  ５０．００  〜  ５５．２５
瞳径（ｍｍ）＝Φ８
画面対角長（ｍｍ）＝２２．５
バックフォーカスｆｂ＝１．４４ｆ
面番号  曲率半径            面（又は空気）間隔    ｄ線屈折率    アッベ数
1      ∞（被写体像面）        72.13
2      20.932                   7.80              1.51633      64.14
3    1012.061                  D3
4    （非球面）                 5.22              1.52542      55.78
5    -782.022                  D5
6     -68.933                   1.80              1.58423      30.49
7      13.879                  23.30
8      瞳
【００８８】
非球面係数
第４面
曲率半径    21.015
Ｋ＝０
Ａ4＝-1.47489×10-5    Ａ6＝-3.77827×10-8
Ａ8＝-2.49840×10-10
視度        ＋１        −１        −３
Ｄ３    １．８５    ２．６９    ３．７１
Ｄ５    ３．６６    ２．８１    １．７９
【００８９】
第３実施例
図５は、本発明の接眼レンズの第３実施例の光学構成を示す光軸に沿う断面図である。図５中、３は一次結像面であり、６は接眼レンズにおける物体像の像面である。
また、図６は第３実施例における球面収差、非点収差、歪曲収差、倍率色収差を示す図であり、（ａ）は視度が＋１ｍ-1のとき、（ｂ）は視度が−１ｍ-1のとき、（ｃ）は視度が−３ｍ-1のときの状態を示している。
【００９０】
第３実施例の接眼レンズ１は、被観察面側（被写体側）から順に、両面が凸面であるレンズ（第１レンズ）と両面が凹面であるレンズ（第２レンズ）とからなる第１レンズ群Ｇ１と、両面が凸面のレンズ（第３レンズ）からなる被写体側の面に非球面を持つ第２レンズ群Ｇ２と、凹メニスカスレンズ（第４レンズ）からなる第３レンズ群Ｇ３とで構成されている。第３実施例の視度調整は、第２レンズ群Ｇ２を移動させておこなうようになっている。
【００９１】
次に、第３実施例の接眼レンズを構成する光学部材の数値データを示す。
数値データ３
視度（ｍ-1）＝＋１  〜  −１  〜  −３
焦点距離ｆ１（ｍｍ）＝４２．０３  〜  ４５．５０  〜  ５０．３８
瞳径（ｍｍ）＝Φ８
画面対角長（ｍｍ）＝２１．９
バックフォーカスｆｂ＝１．４３ｆ
面番号  曲率半径            面（又は空気）間隔    ｄ線屈折率    アッベ数
1      ∞（被写体像面）        65.80
2      19.909                   8.85              1.52542      55.78
3    -303.851                   1.19
4     -61.823                   2.80              1.58423      30.49
5     195.037                  D5
6    （非球面）                 5.55              1.52542      55.78
7    -519.338                  D7
8     141.796                   1.80              1.58423      30.49
9      11.216                   23.18
10      瞳
【００９２】
非球面
第６面
曲率半径    16.231
Ｋ＝０
Ａ4＝-2.8938×10-5    Ａ6＝-9.5378×10-8
Ａ8＝-3.1054×10-10
視度        ＋１        −１        −３
Ｄ５    ０．８０    １．７０    ２．７９
Ｄ７    ３．４５    ２．５５    １．４６
【００９３】
ところで、一般にファインダー光学系は、像反転のための光学部材が必要である。このため、カメラボディには像反転光学部材を入れるためのスペースを確保しなければならない。多くの一眼レフタイプのファインダーでは、ペンタダハプリズムを像反転光学部材を用いている。
このような像反転のための光学部材として、本発明のファインダー光学系は、撮影光学系から射出される光束をカメラボディの長手方向に反射させる第１反射面と、前記第１反射面の反射面側に配置され、前記撮影光学系により形成される一次結像面付近に配された像形成部分と、前記一次結像面よりも瞳側に配置される複数の反射面及び接眼レンズとを備え、前記第１反射面と前記複数の反射面にてポロタイプの像反転光学系をなしている。図７に、上記ポロタイプの像反転光学系を有する一眼レフカメラのファインダー光学系を示す。
【００９４】
図７において、ファインダー光学系２は、メインミラーＭＭと、一次結像面３と、反射
面であるミラーＭ１，Ｍ２，Ｍ３、接眼レンズ１とを備えたポロタイプの像反転光学系を有している。
第１反射面であるメインミラーＭＭの反射面側（ファインダー系光軸４に沿った瞳側の位置）に一次結像面３が配置され、一次結像面３の瞳側（ファインダー系光軸４に沿った瞳側の位置）に、反射面であるミラーＭ１，Ｍ２，Ｍ３が配置されている。
この構成により、一次結像面３の前（被写体側）にあるメインミラーMMを含め、４面の反射面によって撮影光学系の像を正立像としている。
【００９５】
上記撮影光学系の像反転について、説明する。
ファインダーで視野を観察する際、撮影光学系を通った光束はクイックリターンミラーであるメインミラーＭＭで反射し、一次結像面３に像を結ぶ。この像はファインダー光学系にある３面の反射面Ｍ１，Ｍ２，Ｍ３によって像を反転し、接眼レンズ１を通して瞳に導かれる。
撮影時には、メインミラーＭＭが一次結像面３とは逆の方向に退避し、撮影光学系の像は、ＣＣＤ等の撮像素子５に到達する。
【００９６】
上記のように像反転の光学部材を構成すると、ペンタダハプリズムを用いた場合のファインダー光学系に比べて、ダハ部の出っ張りがないため、高さ方向に小型化でき、すっきりとしたカメラボディとすることができる。
また、カメラ全体の小型化にもつながり、一眼レフカメラでありながらコンパクトカメラ並みの大きさを実現することができる。
【００９７】
像反転のための光学部材としては、本発明のようにミラーを配置したポロタイプの他、ポロプリズムや、従来技術にあるペンタダハプリズムなどが考えられるが、どのような部材を配置したとしても十分なスペースは確保している。
【００９８】
本発明のファインダー光学系では、一次結像面から瞳側の３面の反射面をミラーで構成しているが、これに限られるものではない。例えば、ミラーに代えてプリズムで上記三面の反射面を構成してもよい。
【００９９】
なお、上記した各実施例は、ポロミラー等像反転のための光学部材を配置するために、
非観察面である撮影レンズの一次結像面から接眼レンズの第１レンズ群までの距離は十分に確保されている。
【０１００】
下表に各実施例の条件式数値を示す。
2006065265.tif 000003
【図面の簡単な説明】
【０１０１】
【図１】第１実施例の光学構成を示す光軸に沿う断面図である。
【図２】第１実施例における球面収差、非点収差、歪曲収差、倍率色収差を示す図であり、（ａ）は視度が＋１.５ｍ-1のとき、（ｂ）は視度が−１ｍ-1のとき、（ｃ）は視度が−３.５ｍ-1のときの状態を示している。
【図３】第２実施例の光学構成を示す光軸に沿う断面図である。
【図４】第２実施例における球面収差、非点収差、歪曲収差、倍率色収差を示す図であり、（ａ）は視度が＋１ｍ-1のとき、（ｂ）は視度が−１ｍ-1のとき、（ｃ）は視度が−３ｍ-1のときの状態を示している。
【図５】第３実施例の光学構成を示す光軸に沿う断面図である。
【図６】第３実施例における球面収差、非点収差、歪曲収差、倍率色収差を示す図であり、（ａ）は視度が＋１ｍ-1のとき、（ｂ）は視度が−１ｍ-1のとき、（ｃ）は視度が−３ｍ-1のときの状態を示している。
【図７】ポロタイプの像反転光学系を有する一眼レフカメラのファインダー光学系の説明図であり、（ａ）はファインダー光学系における像反転部材の配置を示す斜視図、（ｂ）はファインダー光学系における像反転部材の配置を示す正面図である。
【図８】一次結像面の物体像の像面上における観察可能な範囲の画面対角長Ｙの説明図である。
【符号の説明】
【０１０２】
１      接眼レンズ
２      ファインダー光学系
３      一次結像面
４      ファインダー系光軸
５      撮像素子
６      物体像の像面
Ｇ１    第１レンズ群
Ｇ２    第２レンズ群
Ｇ３    第３レンズ群
Ｇ４    第４レンズ群
Ｍ１，Ｍ２，Ｍ３    ミラー
ＭＭ    メインミラー
Ｙ      物体像の像面上における観察可能な範囲の画面対角長
【図１】
2006065265.tif 000004
【図２】
2006065265.tif 000005
【図３】
2006065265.tif 000006
【図４】
2006065265.tif 000007
【図５】
2006065265.tif 000008
【図６】
2006065265.tif 000009
【図７】
2006065265.tif 000010
【図８】
2006065265.tif 000011